【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段と、
前記設定画面で表示される複数のキャラクタから一つのキャラクタを選択するための選択操作手段と、
前記選択操作手段によって選択されたキャラクタが示す設定内容で設定を変更することを決定するための決定操作手段とを有し、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御することを特徴とする撮像装置。
【請求項２】
前記表示制御手段は、前記一覧画面において該決定された設定内容のキャラクタを所定時間だけ強調表示した後、その強調表示を解除することを特徴とする請求項１に記載の撮像装置。
【請求項３】
前記一覧画面に一覧表示される設定内容のキャラクタのうち、前記表示部以外に、覗き込んで使用するファインダー内の表示手段でも表示されるキャラクタの設定項目の設定画面においては、前記決定操作手段を操作することなく前記選択操作手段によって選択されたキャラクタが示す設定内容で設定を変更することを自動的に決定するよう制御する制御手段を更に有し、
前記表示制御手段は、前記一覧画面に一覧表示される設定内容のキャラクタのうち、前記表示部以外に、覗き込んで使用するファインダー内の表示手段でも表示されるキャラクタの設定項目の設定画面においては、前記選択表示をしないように制御することを特徴とする請求項１に記載の撮像装置。
【請求項４】
前記設定画面を表示する際に、設定画面で設定される設定内容のキャラクタが、前記表示部での前記一覧画面上と、前記覗き込んで使用するファインダー内の表示手段との双方で表示されるキャラクタか否かを判定する判定手段を有することを特徴とする請求項３に記載の撮像装置。
【請求項５】
前記表示制御手段は、前記設定画面において行う強調表示と、その後に切り替えられる前記一覧画面において行う強調表示とを同じ表示形態とすることを特徴とする請求項１乃至４のいずれか１項に記載の撮像装置。
【請求項６】
前記設定項目ごとに、前記一覧画面から前記設定画面へ切り替えるための異なる操作部材を有することを特徴とする請求項１乃至５のいずれか１項に記載の撮像装置。
【請求項７】
前記操作部材は、上下左右を指示するためのボタンのいずれかであり、
上ボタン又は下ボタンを押下することにより設定画面に切り替わる設定項目については、その設定画面で複数の設定内容のキャラクタを上下方向に並べて表示し、かつ、上ボタン及び下ボタンを前記選択操作手段として機能させ、
右ボタン又は左ボタンを押下することにより設定画面に切り替わる設定項目については、その設定画面で複数の設定内容のキャラクタを左右方向に並べて表示し、かつ、右ボタン及び左ボタンを前記選択操作手段として機能させることを特徴とする請求項６に記載の撮像装置。
【請求項８】
当該撮像装置での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御ステップと、
前記設定画面で表示される複数のキャラクタから一つのキャラクタを選択するための選択操作ステップと、
前記選択操作ステップによって選択されたキャラクタが示す設定内容で設定を変更することを決定するための決定操作ステップとを有し、
前記表示制御ステップは、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御することを特徴とする撮像装置の制御方法。
【請求項９】
コンピュータを、
撮像手段、
前記撮像手段での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段、
前記設定画面で表示される複数のキャラクタから一つのキャラクタを選択するための選択操作手段、
前記選択操作手段によって選択されたキャラクタが示す設定内容で設定を変更することを決定するための決定操作手段として機能させるためのプログラムであって、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御することを特徴とするプログラム。
【請求項１０】
コンピュータを、
撮像手段、
前記撮像手段での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段、
前記設定画面で表示される複数のキャラクタから一つのキャラクタを選択するための選択操作手段、
前記選択操作手段によって選択されたキャラクタが示す設定内容で設定を変更することを決定するための決定操作手段として機能させるためのプログラムであって、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御するプログラムを記録したことを特徴とするコンピュータ読み取り可能な記録媒体。
【請求項１１】
複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段と、
前記設定画面で表示される複数のキャラクタから一つのキャラクタを選択するための選択操作手段と、
前記選択操作手段によって選択されたキャラクタが示す設定内容で設定を変更することを決定するための決定操作手段とを有し、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御することを特徴とする表示制御装置。
【請求項１２】
複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御ステップと、
前記設定画面で表示される複数のキャラクタから一つのキャラクタを選択するための選択操作ステップと、
前記選択操作ステップによって選択されたキャラクタが示す設定内容で設定を変更することを決定するための決定操作ステップとを有し、
前記表示制御ステップは、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御することを特徴とする表示制御方法。
【請求項１３】
コンピュータを、
複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段、
前記設定画面で表示される複数のキャラクタから一つのキャラクタを選択するための選択操作手段、
前記選択操作手段によって選択されたキャラクタが示す設定内容で設定を変更することを決定するための決定操作手段として機能させるためのプログラムであって、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御することを特徴とするプログラム。
【請求項１４】
コンピュータを、
複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段、
前記設定画面で表示される複数のキャラクタから一つのキャラクタを選択するための選択操作手段、
前記選択操作手段によって選択されたキャラクタが示す設定内容で設定を変更することを決定するための決定操作手段として機能させるためのプログラムであって、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御するプログラムを記録したことを特徴とするコンピュータ読み取り可能な記録媒体。
【手続補正２】
【補正対象書類名】明細書
【補正対象項目名】発明の名称
【補正方法】変更
【補正の内容】
【発明の名称】撮像装置、その制御方法及びプログラム
【手続補正３】
【補正対象書類名】明細書
【補正対象項目名】０００１
【補正方法】変更
【補正の内容】
【０００１】
本発明は、静止画像や動画像を撮像・記録・再生する撮像装置及びその制御方法、並びに表示制御装置及び方法、更にはプログラム及びコンピュータ読み取り可能な記録媒体に関する。
【手続補正４】
【補正対象書類名】明細書
【補正対象項目名】０００８
【補正方法】変更
【補正の内容】
【０００８】
本発明の撮像装置は、撮像手段と、前記撮像手段での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段と、前記設定画面で表示される複数のキャラクタから一つのキャラクタを選択するための選択操作手段と、前記選択操作手段によって選択されたキャラクタが示す設定内容で設定を変更することを決定するための決定操作手段とを有し、前記表示制御手段は、前記設定画面において、前記選択されたキャラクタを他のキャラクタと識別可能な表示形態で表示する選択用表示をするよう制御し、設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御することを特徴とする。